(57)【要約】【課題】紫外線の照射効率を高めると共に装置全体の大型化を抑制する。【解決手段】実施形態の紫外線照射装置は、被処理流体が流れる流路と、被処理流体の流れ方向に交差する一方向に沿って流路に配置され、かつ、一方向とは異なる方向に互いに間隔をあけて流路に配置された線状の複数の紫外線ランプと、を備える。複数の紫外線ランプの、一方向に対する長さは、複数の紫外線ランプの各位置において、流路の内壁が、一方向に対向する距離に合わせて異なる。【選択図】図３
2017225951.tif 000002
【特許請求の範囲】
【請求項１】
被処理流体が流れる流路と；
前記被処理流体の流れ方向に交差する一方向に沿って前記流路に配置され、かつ、前記一方向とは異なる方向に互いに間隔をあけて前記流路に配置された線状の複数の紫外線ランプと；
を具備し、
前記複数の紫外線ランプの、前記一方向に対する長さは、前記複数の紫外線ランプの各位置において、前記流路の内壁が、前記一方向に対向する距離に合わせて異なる、紫外線照射装置。
【請求項２】
前記流路の、前記複数の紫外線ランプが配置される空間は、前記被処理流体の流れ方向に直交する断面形状が円形状に形成されている、
請求項１に記載の紫外線照射装置。
【請求項３】
前記複数の紫外線ランプが接続される複数の端子部を有するランプ点灯装置を更に具備する、
請求項１または２に記載の紫外線照射装置。
【請求項４】
前記ランプ点灯装置には、前記複数の紫外線ランプが直列接続されている、
請求項３に記載の紫外線照射装置。
【発明の詳細な説明】
【技術分野】
【０００１】
本発明の実施形態は、紫外線照射装置に関する。
【背景技術】
【０００２】
紫外線照射装置では、被照射体に紫外線を照射するために紫外線ランプが用いられている。この種の紫外線照射装置には、例えば、船舶においてバラストタンク内に取り込んだバラスト水に紫外線を照射することで、被処理流体としてのバラスト水の殺菌処理を行うために用いられるものがある。
【０００３】
図９は、関連技術に係る紫外線照射装置が有する紫外線ランプを流路の流れ方向から模式的に示す正面図である。図１０は、関連技術に係る紫外線照射装置が有する紫外線ランプを流路の流れ方向に直交する方向から模式的に示す平面図である。図９及び図１０に示すように、関連技術の紫外線照射装置１０１は、バラスト水が流れる流路１０９ａを有する照射槽１０９と、複数の紫外線ランプ１１２と、を備える。
【０００４】
照射槽１０９の流路１０９ａは、バラスト水が供給される配管１０８に連通されており、バラスト水が通過する。複数の紫外線ランプ１１２は、流路１０９ａを通過するバラスト水の流れ方向に直交する一方向に沿って照射槽１０９に配置されている。また、複数の紫外線ランプ１１２は、上述の一方向と直交する方向及び流れ方向にそれぞれ間隔をあけて照射槽１０９に配置されている。
【先行技術文献】
【特許文献】
【０００５】
【特許文献１】特開２０１５−９５６９号公報
【発明の概要】
【発明が解決しようとする課題】
【０００６】
上述のように複数の紫外線ランプ１１２を用いる紫外線照射装置１０１では、紫外線照射装置１０１の製造コストを抑え、紫外線照射装置１０１の生産性の低下を抑えるために複数の紫外線ランプ１１２を共通化する観点で、長さが等しい同一の紫外線ランプ１１２が一般に使用されている。また、一般に、バラスト水を供給する配管１０８の流路は、バラスト水の流れ方向に直交する断面形状が円形状である。このため、照射槽１０９に配置された複数の紫外線ランプ１１２の両端は、配管１０８の流路の外側へ突出している。したがって、照射槽１０９に配置された各紫外線ランプ１１２の両端側である有効発光長の両端部分は、流路１０９ａを通過するバラスト水への紫外線の照射に十分に寄与しておらず、紫外線の照射効率の低下を招いている。また、照射槽１０９に配置された複数の紫外線ランプ１１２の両端部が、配管１０８の外側へ突出することによって、紫外線照射装置１０１が大型化する不都合がある。
【０００７】
さらに、複数の紫外線ランプ１１２の発光領域である有効発光長全体を、バラスト水を利用して冷却するために、照射槽１０９には、紫外線ランプ１１２の両端部側に、凹部１０９ｂが設けられている。この凹部１０９ｂは、流路１０９ａを通過するバラスト水の流動抵抗を増大させており、配管１０８を介してバラスト水を流通させるポンプに大きな負荷をかけている。このため、船舶での電力消費を増大させ、船舶の燃料の損失を招いている。
【０００８】
そこで、本発明は、紫外線の照射効率を高めると共に装置全体の大型化を抑制することができる紫外線照射装置を提供することを目的とする。
【課題を解決するための手段】
【０００９】
実施形態に係る紫外線照射装置は、被処理流体が流れる流路と；前記被処理流体の流れ方向に交差する一方向に沿って前記流路に配置され、かつ、前記一方向とは異なる方向に互いに間隔をあけて前記流路に配置された線状の複数の紫外線ランプと；を具備する。前記複数の紫外線ランプの、前記一方向に対する長さは、前記複数の紫外線ランプの各位置において、前記流路の内壁が、前記一方向に対向する距離に合わせて異なる。
【発明の効果】
【００１０】
本発明によれば、紫外線の照射効率を高めると共に装置全体の大型化を抑制することができる。
【図面の簡単な説明】
【００１１】
【図１】第１の実施形態に係る紫外線照射装置を示す模式図である。
【図２】第１の実施形態に係る紫外線照射装置が有する紫外線ランプを流路の流れ方向に直交する方向からを示す模式的に示す側面図である。
【図３】第１の実施形態に係る紫外線照射装置が有する紫外線ランプを流路の流れ方向から模式的に示す正面図である。
【図４】第１の実施形態に係る紫外線照射装置が有する紫外線ランプを流路の流れ方向に直交する方向から模式的に示す平面図である。
【図５】第１の実施形態に係る紫外線照射装置が有するランプ点灯装置と紫外線ランプとの接続状態を説明するためのブロック図である。
【図６】第１の実施形態に係る紫外線照射装置が有するランプ点灯装置を示す回路図である。
【図７】第２の実施形態に係る紫外線照射装置が有するランプ点灯装置と紫外線ランプとの接続状態を説明するためのブロック図である。
【図８】第３の実施形態に係る紫外線照射装置が有するランプ点灯装置と紫外線ランプとの接続状態を説明するためのブロック図である。
【図９】関連技術に係る紫外線照射装置が有する紫外線ランプを流路の流れ方向から模式的に示す正面図である。
【図１０】関連技術に係る紫外線照射装置が有する紫外線ランプを流路の流れ方向に直交する方向から模式的に示す平面図である。
【発明を実施するための形態】
【００１２】
以下で説明する実施形態に係る紫外線照射装置は、流路と、線状の複数の紫外線ランプと、を具備する。流路には、被処理流体が流れる。複数の紫外線ランプは、被処理流体の流れ方向に交差する一方向に沿って流路に配置されている。また、複数の紫外線ランプは、前記一方向とは異なる方向に互いに間隔をあけて流路に配置されている。複数の紫外線ランプの、一方向に対する長さは、複数の紫外線ランプの各位置において、流路の内壁が、一方向に対向する距離に合わせて異なる。
【００１３】
また、以下で説明する実施形態に係る紫外線照射装置において、流路の、複数の紫外線ランプが配置される部分は、被処理流体の流れ方向に直交する断面形状が円形状に形成されている。
【００１４】
また、以下で説明する実施形態に係る紫外線照射装置は、複数の紫外線ランプが接続される複数の端子部を有するランプ点灯装置を更に具備する。
【００１５】
また、以下で説明する実施形態に係る紫外線照射装置において、ランプ点灯装置には、複数の紫外線ランプが直列接続されている。
【００１６】
（第１の実施形態）
以下、実施形態に係る紫外線照射装置について、図面を参照して説明する。図１は、第１の実施形態に係る紫外線照射装置を示す模式図である。図２は、第１の実施形態に係る紫外線照射装置が有する紫外線ランプを流路の流れ方向に直交する方向から示す模式的に示す側面図である。図３は、第１の実施形態に係る紫外線照射装置が有する紫外線ランプを流路の流れ方向から模式的に示す正面図である。図４は、第１の実施形態に係る紫外線照射装置が有する紫外線ランプを流路の流れ方向に直交する方向から模式的に示す平面図である。
【００１７】
図１に示すように、第１の実施形態に係る紫外線照射装置１は、被処理流体としてのバラスト水７を貯留するバラストタンク６から、配管８を通して供給されるバラスト水７の供給経路上に設けられている。紫外線照射装置１は、バラスト水７が流れる流路９ａを有する照射槽９と、流路９ａを流れるバラスト水７に紫外線を照射する線状の複数の紫外線ランプ１２（１２Ａ、１２Ｂ、１２Ｃ）と、を備える。
【００１８】
また、紫外線照射装置１は、複数の紫外線ランプ１２をそれぞれ点灯する複数のランプ点灯装置１３と、複数のランプ点灯装置１３をそれぞれ制御する制御装置１４と、を備える。複数のランプ点灯装置１３は、図示しない電源装置（発電機）にそれぞれ接続されており、電源装置から交流電流が供給されることで各紫外線ランプ１２を点灯させる。例えば、船舶において、ランプ点灯装置１３は、紫外線ランプ１２の近傍に設置されている。制御装置１４は、船舶において、ランプ点灯装置１３から離れた制御室等に設置されている。
【００１９】
図２、図３及び図４に示すように、複数の紫外線ランプ１２は、バラスト水７が流路９ａを矢印方向に通過する流れ方向（Ｘ方向）に直交する一方向（Ｙ方向）に沿って流路９ａに配置され、かつ、一方向（Ｙ方向）と異なる方向（Ｘ方向及びＺ方向）に互いに所定の間隔をあけて流路９ａに配置されている。図２、図３及び図４において、バラスト水７の流れ方向をＸ方向とし、紫外線ランプ１２の長さ方向に沿う一方向をＹ方向とし、Ｘ方向及びＹ方向に直交する方向をＺ方向として示す。なお、複数の紫外線ランプ１２が、バラスト水７の流れ方向（Ｘ方向）に直交する方向に沿って配置される構成は、紫外線照射装置を小型にできるので好ましいが、紫外線ランプ１２の長さ方向（Ｙ方向）を流れ方向（Ｘ方向）に直交して配置する構成に限定するものではない。
【００２０】
照射槽９の流路９ａは、配管８の流路８ａの途中に、この流路８ａと連続して設けられており、例えば、配管８の流路８ａが流路９ａを兼ねるように構成されている。照射槽９の流路９ａは、複数の紫外線ランプ１２が配置される部分として照射空間Ａを有しており、照射空間Ａの、バラスト水７の流れ方向（Ｘ方向）に直交する断面形状が円形状に形成されている。流路９ａの照射空間Ａの、Ｙ方向に対向する内壁９ｂには、各紫外線ランプ１２の両端が支持されている。各紫外線ランプ１２は、発光領域（放電空間）に対応する有効発光長全体が、流路９ａ内に配置されており、流路９ａを流れるバラスト水７によって有効発光長全体が適正に冷却されている。流路９の内壁９ｂには、紫外線ランプ１２が発する紫外線を流路９ａ内へ反射する反射面が設けられてもよい。
【００２１】
照射槽９には、流路９ａの外側に、図示しないが、各紫外線ランプ１２の両端部に設けられた口金部材を保持する保持部材が設けられている。流路９ａの照射空間Ａの外側において、各紫外線ランプ１２の口金部材から引き出されたリード線が、ランプ点灯装置１３を介して電源装置１５に接続されている。
【００２２】
紫外線ランプ１２は、ロングアーク型の水銀ランプ、あるいはロングアーク型のメタルハライドランプであり、いわゆる高輝度放電灯（ＨＩＤ：High  Intensity  Discharge  lamp）が用いられている。また、紫外線ランプ１２としては、いわゆる中圧紫外線ランプまたは高圧紫外線ランプと称されるものである。
【００２３】
図２、図３及び図４に示すように、複数の紫外線ランプ１２の、一方向（Ｙ方向）に対する長さは、複数の紫外線ランプ１２の各位置において、流路９ａの内壁９ｂが、一方向（Ｙ方向）に対向する距離Ｄに合わせて異なる。図３に示すように、流路９ａの照射空間Ａは、バラスト水７の流れ方向（Ｘ方向）に直交する断面形状が円形状に形成されているので、Ｚ方向に対する位置に応じて、一方向（Ｙ方向）に対向する内壁９ｂ間の距離Ｄがそれぞれ異なっている。本実施形態における複数の紫外線ランプ１２は、図３及び図４に示すように、長さが流路９ａの内壁９ｂ間の距離Ｄに応じて異なる、第１の紫外線ランプ１２Ａ、第２の紫外線ランプ１２Ｂ及び第３の紫外線ランプ１２Ｃを含んでいる。
【００２４】
なお、ここでいう「紫外線ランプ１２の、一方向に対する長さ」とは、理想的には有効発光長、特に紫外線ランプ１２の内部において両端に設けられた図示しない一対の電極の電極間距離（なお、以後単に「電極間距離」と称する）であるが、これに限定されるものではない。例えば、紫外線ランプ１２の、一方向に対する長さは、紫外線ランプ１２の電極間距離から＋１２０ｍｍ、−１０ｍｍまで許容されるものである。紫外線ランプ１２の、一方向に対する長さが電極間距離から＋１２０ｍｍまで許容される理由として、紫外線ランプ１２に設けられた口金（図示しない）の長さ分を含むためである。一方、紫外線ランプ１２の、一方向に対する長さが電極間距離から−１０ｍｍまで許容される理由として、紫外線ランプ１２の、一方向に対する長さを電極間距離と同じ長さに設定していても、紫外線ランプ１２の取り付けにおいて最大で１０ｍｍ程度ばらつきが発生するためである。
【００２５】
第１の紫外線ランプ１２Ａは、「長サイズ」の紫外線ランプ１２であり、流路９ａのＺ方向における中央近傍に配置されている。第２の紫外線ランプ１２Ｂは、第１の紫外線ランプ１２Ａよりも短い「中サイズ」の紫外線ランプ１２であり、Ｚ方向において流路９ａの中央と両端（図３における上端及び下端）との間に配置されている。第３の紫外線ランプ１２Ｃは、第２の紫外線ランプ１２Ｂよりも短い「短サイズ」の紫外線ランプ１２であり、流路９ａのＺ方向における両端近傍に配置されている。第１の紫外線ランプ１２Ａ、第２の紫外線ランプ１２Ｂ及び第３の紫外線ランプ１２Ｃのそれぞれの有効発光長は、流路９の内壁９ｂがＹ方向に対向する距離Ｄとほぼ等しく設定されている。そして、本実施形態は、図２に示すように、２つの第１の紫外線ランプ１２Ａと、４つの第２の紫外線ランプ１２Ｂと、２つの第３の紫外線ランプ１２Ｃと、を有する。
【００２６】
また、図２、図３及び図４には、便宜上、図示しないが、紫外線ランプ１２は、紫外線の透過性を有する円筒状の保護管内に挿通されて設けられており、保護管によってバラスト水７から保護されている。
【００２７】
なお、本実施形態は、複数の紫外線ランプ１２（１２Ａ、１２Ｂ、１２Ｃ）の個数、及び長さが異なる各紫外線ランプ１２Ａ、１２Ｂ、１２Ｃの配列を限定するものではなく、必要に応じて、個数及び配列が適宜変更されてよい。また、本実施形態は、長さ異なる３種類の第１、第２及び第３の紫外線ランプ１２Ａ、１２Ｂ、１２Ｃを有して構成されたが、紫外線ランプ１２の長さの種類を３種類に限定するものではない。また、本実施形態における複数の紫外線ランプ１２は、発光管の長さが異なる複数種類の紫外線ランプ１２を含むが、長さのみが異なる構成に限定されず、必要に応じて、発光管（保護管）の直径が異なる複数種類の紫外線ランプ１２を含んでもよい。
【００２８】
図５は、第１の実施形態に係る紫外線照射装置１が有するランプ点灯装置１３と紫外線ランプ１２との接続状態を説明するためのブロック図である。図５に示すように、紫外線照射装置１は、紫外線ランプ１２の個数と同数のランプ点灯装置１３を有しており、１つのランプ点灯装置１３によって１つの紫外線ランプ１２をそれぞれ点灯する。各ランプ点灯装置１３は、制御装置１４及び電源装置１５に並列に接続されており、制御装置１４によってそれぞれ個別に制御される。
【００２９】
ランプ点灯装置１３は、電源装置１５と接続される入力端子部１６を有しており、電源装置１５から交流電流が入力端子部１６へ供給される。また、ランプ点灯装置１３は、紫外線ランプ１２と接続される出力端子部１７を有する。ランプ点灯装置１３は、入力端子部１６へ供給された交流電流を、一旦、直流電流に変換し、再度、直流電流から変換した交流電流を、出力端子部１７から紫外線ランプ１２へ供給する。
【００３０】
（ランプ点灯装置の構成）
図６は、第１の実施形態に係る紫外線照射装置１が有するランプ点灯装置１３を示す回路図である。図６に示すように、ランプ点灯装置１３は、フィルタ回路２１と、整流回路２２と、平滑回路２３と、コンバータ２４と、インバータ２５と、を有する。入力端子部１６と出力端子部１７との間には、フィルタ回路２１、整流回路２２、平滑回路２３、コンバータ２４、インバータ２５の順に配置されて接続されている。また、ランプ点灯装置１３は、整流回路２２、コンバータ２４及びインバータ２５を制御する制御回路２６を有しており、制御回路２６が、整流回路２２、コンバータ２４及びインバータ２５にそれぞれ接続されている。コンバータ２４は、整流回路２２より供給された直流を、紫外線ランプ１２を点灯するのに適した直流電圧・電流に変換する。インバータ２５は、コンバータ２４によって変換された直流電流を交流電流に変換する。
【００３１】
（紫外線照射装置における殺菌処理）
図２、図３及び図４に示すように、バラストタンク６から配管８の流路８ａを介して、照射槽９の流路９ａ内にバラスト水７が供給される。バラスト水７は、流路９ａ内の各紫外線ランプ１２の間を通過して流れると共に、各紫外線ランプ１２が発する紫外線が照射される。これにより、紫外線照射装置１は、バラスト水７の殺菌処理を行い、各紫外線ランプ１２の間を通過したバラスト水７が、例えば、配管８を介して船舶の外部へ放出されたり、図示しない処理済みバラストタンクへ送られたりする。なお、殺菌処理は上記に限定されず、例えば、船舶の外部にある海水、湖水、川水などを図示しないバラストポンプでくみ上げ（漲水）、図示しないフィルタでろ過した後、紫外線の照射によって殺菌し、バラストタンクへと流入される処理としてもよい。
【００３２】
上述したように、第１の実施形態の紫外線処理装置１は、バラスト水７の流れ方向に直交する一方向（Ｙ方向）に沿って流路９ａに配置され、かつ、一方向（Ｙ方向）とは異なる方向（Ｘ方向及びＺ方向）に互いに間隔をあけて流路９ａに配置された線状の複数の紫外線ランプ１２を備える。複数の紫外線ランプ１２の、一方向に対する長さは、複数の紫外線ランプ１２の各位置において、流路９ａの内壁９ｂが、一方向に対向する距離Ｄに合わせて異なる。これにより、流路９ａにおける紫外線ランプ１２の位置に応じて、流路９ａを通過するバラスト水７への紫外線の照射に十分に寄与しない有効発光長を削減し、複数の紫外線ランプ１２（１２Ａ、１２Ｂ、１２Ｃ）のそれぞれの長さが効率的な長さとなるので、余分な電力を削減することで流路９ａを流れるバラスト水７に対する紫外線の照射における電力効率を高めると共に、紫外線照射装置１全体の大型化を抑制することができる。また、紫外線照射装置１では、流路９ａを通過するバラスト水７によって、長さが異なる複数の紫外線ランプ１２の有効発光長全体が適正に冷却することができる。
【００３３】
また、第１の実施形態の紫外線処理装置１において、流路９ａの、複数の紫外線ランプ１２が配置される照射空間Ａは、バラスト水７の流れ方向に直交する断面形状が円形状に形成されている。これにより、各紫外線ランプ１２の有効発光長全体が配置された照射空間Ａに、照射槽９の流路９ａを通過するバラスト水７の流動抵抗を増大させる凹部１０９ｂ（図９及び図１０）が生じることが避けられる。このため、流路９ａを通過するバラスト水７の流動抵抗が抑えられ、配管８を通してバラスト水７を流通させるポンプの消費エネルギーを抑制することが可能になる。その結果、船舶での電力消費の増大を抑え、船舶の燃料の損失を抑えることができる。
【００３４】
以下、第２及び第３の実施形態の紫外線照射装置について図面を参照して説明する。なお、第２及び第３の実施形態において、第１の実施形態と同一の構成部材及び同一部分には、第１の実施形態と同一符号を付して説明を省略する。
【００３５】
（第２の実施形態）
図７は、第２の実施形態に係る紫外線照射装置が有するランプ点灯装置１３と紫外線ランプ１２との接続状態を説明するためのブロック図である。第２の実施形態は、ランプ点灯装置１３と紫外線ランプ１２との接続状態が、第１の実施形態と異なる。
【００３６】
図７に示すように、第２の実施形態の紫外線照射装置２は、複数のランプ点灯装置１３を備える。１つのランプ点灯装置１３の出力端子部１７には、２つの紫外線ランプ１２が直列接続されている。なお、１つのランプ点灯装置１３の出力端子部１７には、３つ以上の紫外線ランプ１２が直列接続されてもよい。
【００３７】
上述したように、第２の実施形態の紫外線照射装置２によれば、１つのランプ点灯装置１３に２つの紫外線ランプ１２が接続されることで、紫外線ランプ１２に対するランプ点灯装置１３の個数を削減することができる。また、紫外線照射装置２によれば、２つの紫外線ランプ１２が直列接続されることで、紫外線ランプ１２とランプ点灯装置１３とを接続する配線を削減することができる。これにより、紫外線照射装置２の構成を簡素化し、紫外線照射装置２全体の大型化を抑制することができる。
【００３８】
（第３の実施形態）
図８は、第３の実施形態に係る紫外線照射装置が有するランプ点灯装置と紫外線ランプ１２との接続状態を説明するためのブロック図である。第３の実施形態は、ランプ点灯装置と紫外線ランプ１２との接続状態が、第１の実施形態及び第２の実施形態と異なる。
【００３９】
図８に示すように、第３の実施形態の紫外線照射装置３は、４つの紫外線ランプ１２を点灯するランプ点灯装置３３を備える。ランプ点灯装置３３は、入力端子部１６と、２つの出力端子部１７と、を有する。各出力端子部１７には、２つの紫外線ランプ１２が直列接続されている。
【００４０】
なお、図８に示す構成例は、１つのランプ点灯装置３３のみを有するが、流路９ａに配置する紫外線ランプ１２の個数に応じて、複数のランプ点灯装置３３を有して構成されてもよい。また、１つのランプ点灯装置３３には、３つ以上の出力端子部１７が設けられてもよい。また、１つの出力端子部１７には、３つ以上の紫外線ランプ１２が直列接続されてもよい。
【００４１】
上述したように、第３の実施形態の紫外線照射装置３によれば、１つのランプ点灯装置３３の各出力端子部１７に２つの紫外線ランプ１２がそれぞれ直列接続されることで、紫外線ランプ１２に対するランプ点灯装置３３の個数を更に削減することができる。また、紫外線照射装置３によれば、各出力端子部１７に２つの紫外線ランプ１２がそれぞれ直列接続されることで、紫外線ランプ１２とランプ点灯装置３３とを接続する配線を更に削減することができる。これにより、紫外線照射装置３の構成を更に簡素化し、紫外線照射装置３全体の大型化を更に抑制することができる。
【００４２】
なお、実施形態の紫外線照射装置１、２、３は、船舶におけるバラスト水７を殺菌処理するために適用されたが、船舶に用いることに限定されるものではなく、例えば、汚染水処理施設等で汚染水を殺菌処理するために用いられてもよい。また、実施形態の紫外線照射装置１、２、３は、例えば、被処理流体としてのばい煙に紫外線を照射するために適用されてもよく、ばい煙が流れる排気ダクトに複数の紫外線ランプ１２が配置されてもよい。
【００４３】
本発明の実施形態を説明したが、実施形態は、例として提示したものであり、本発明の範囲を限定することを意図していない。実施形態は、その他の様々な形態で実施することが可能であり、発明の要旨を逸脱しない範囲で、種々の省略、置き換え、変更を行うことができる。実施形態やその変形は、本発明の範囲や要旨に含まれると同様に、特許請求の範囲に記載された発明とその均等の範囲に含まれるものである。
【符号の説明】
【００４４】
１  紫外線照射装置
７  バラスト水（被処理流体）
９ａ  流路
９ｂ  内壁
１２  紫外線ランプ
１２Ａ  第１の紫外線ランプ
１２Ｂ  第２の紫外線ランプ
１２Ｃ  第３の紫外線ランプ
１３  ランプ点灯装置
１７  出力端子部（端子部）
Ａ  照射空間（空間）
Ｄ  距離
Ｘ  流れ方向
Ｙ  一方向
【図１】
2017225951.tif 000003
【図２】
2017225951.tif 000004
【図３】
2017225951.tif 000005
【図４】
2017225951.tif 000006
【図５】
2017225951.tif 000007
【図６】
2017225951.tif 000008
【図７】
2017225951.tif 000009
【図８】
2017225951.tif 000010
【図９】
2017225951.tif 000011
【図１０】
2017225951.tif 000012